(57)【要約】 【課題】  スキャナ機能等を有する画像読み取り部を備えたプリンタ複合機にあって、当該プリンタ複合機における給紙部の配設される位置を調整することにより、複合機本体が小型でありながら、写真用紙や封筒等の厚手の用紙にも対応できるプリンタ複合機を提供すること。【解決手段】  プリンタ複合機１において、印刷部２１と給紙部３１とを画像読み取り部２２を挟んで所定の距離をおいて両者が対向するようにして配設する構成をとるため、プリンタ複合機１の小型化を保持しつつ、給紙部３１から用紙３２を印刷部２１に送り出すまでの折り返しの半径を大きくすることができる。よって、写真用紙や封筒など、厚手の用紙３２にも好適に対応できるプリンタ複合機１を提供可能とする。印刷部２１は画像読み取り部２２の下方に、また、給紙部３１は画像読み取り部２２の上方に配設することが好ましい。【選択図】  図２
2005159817.tif 000002
【特許請求の範囲】
【請求項１】
原稿の画像を読み込むための画像読み取り部と、画像読み取り部の上方または下方の何れか一方に配設され、用紙に印刷を行うための印刷部と、印刷部に対して用紙を供給するための給紙部を備えたプリンタ複合機において、
前記給紙部が、前記画像読み取り部の上方または下方のもう一方に配設され、印刷部と給紙部とが画像読み取り部を挟んで対向するようにしたことを特徴とするプリンタ複合機。
【請求項２】
請求項１に記載のプリンタ複合機において、
前記印刷部が、前記画像読み取り部の下方に配設され、
前記給紙部が、前記画像読み取り部の上方に配設されることを特徴とするプリンタ複合機。
【請求項３】
請求項２に記載のプリンタ複合機において、
前記給紙部が、前記画像読み取り部の蓋部を構成していることを特徴とするプリンタ複合機。
【請求項４】
請求項２または請求項３に記載のプリンタ複合機において、
前記印刷部の紙送り手段を駆動する駆動部を備え、
前記印刷部に、駆動部の回転運動を伝達する伝達手段が配設されるとともに、
前記給紙部に、印刷部に配設される前記伝達手段と噛合する伝達手段が配設されている
ことを特徴とするプリンタ複合機。
【請求項５】
請求項４に記載のプリンタ複合機において、
前記蓋部を開けることにより、印刷部の伝達手段と給紙部の伝達手段の噛合が解除され
ることを特徴とするプリンタ複合機。
【請求項６】
請求項１ないし請求項５の何れかに記載の複合機において、
コピー機能、スキャナ機能またはファクス機能の少なくとも一つを備えたことを特徴とするプリンタ複合機。
【発明の詳細な説明】
【技術分野】
【０００１】
本発明は、プリンタ複合機に関する。
【背景技術】
【０００２】
近年、プリンタ機能をベースとして、コピー機能、スキャナ機能、ファクス機能などの諸機能を１台の装置で併せ持ち、多目的に使用されるプリンタ複合機（単に「複合機」と呼ばれることもある）が提案されている。かかるプリンタ複合機は、パーソナルコンピュータ（ＰＣ）等に接続されることにより、プリンタ機能やスキャナ機能等をそれぞれ個別に使用できるほか、プリンタ複合機を通常のコピー機としても使用できる。
そして、プリンタ複合機は、前記した諸機能を備えながら、設置に必要なスペースはプリンタ１台分で済むため、設置における省スペース化の実現が期待できるという利点もある。
【０００３】
一方、このようなプリンタ複合機は、前記したようにプリンタ機能をベースとしているので、装置に印刷部を備えており、そして、当該印刷部に対して用紙を供給する給紙部を必要とする。ここで、給紙部が配設される位置としては、給紙部を、プリンタ複合機を構成する複合機本体（印刷を直接行うところ。以下同）の下部に備える構成をとるプリンタ複合機が提供されている（例えば、特許文献１）。かかるプリンタ複合機にあっては、当該給紙部に給紙カセットを装着させて、用紙を複合機本体に対して、下方から上方へ向けて供給するような構成をとることが多い。
また、このような構成のほか、給紙部を複合機本体の背面に対して配設する構成をとるプリンタ複合機が提供されている（例えば、特許文献２及び特許文献３）。
【０００４】
【特許文献１】特開平１０−１５０５０９号公報（［図１］、［図２］）
【特許文献２】特開２００２−２９２９５９号公報（［図３］）
【特許文献３】特開２００３−１２５１７３号公報（［図１］）
【発明の開示】
【発明が解決しようとする課題】
【０００５】
しかしながら、前記した特許文献１で提供されるプリンタ複合機のように、給紙部を複合機本体の下部に配設して、用紙を複合機本体に対して下方から上方へ向けて供給するような構成をとる場合には、プリンタ複合機の小型化が困難なことに加えて、複合機本体の下部に設けられる給紙部から用紙を印刷部に供給するまでの折り返しの半径が小さくなってしまうため、用紙を曲げて前方に折り返す場合にあっては、写真用紙や封筒などの厚手の用紙の印刷に対応できないという問題が生じていた。
【０００６】
すなわち、供給される用紙の厚さが厚く、剛性が大きい場合にあっては、用紙がほとんど撓まないために、印刷部の構成として、複合機本体の前面下部に設けられる給紙部から用紙を印刷部に供給するまでの折り返しの半径が小さくなってしまう。このため、給紙部から印刷部に対して用紙を確実に搬送することが困難となってしまったり、仮に搬送された場合であっても、用紙が正しい向きで搬送されず、斜めに印字がされてしまうことがあった。
【０００７】
一方、特許文献２または特許文献３で提供されるプリンタ複合機のように、給紙部が複合機本体の背面に対して配設される構成をとる場合にあっては、前記した課題が解決されない上に、その構造上、必然的に複合機本体が大型になってしまうという問題があった。
【０００８】
従って、本発明の目的は、前記の課題に鑑みてなされたものであり、スキャナ機能等を有する画像読み取り部を備えたプリンタ複合機にあって、複合機本体が小型でありながら、写真用紙や封筒等の厚手の用紙にも対応できるプリンタ複合機を提供することにある。
【課題を解決するための手段】
【０００９】
前記の課題を解決するために、本発明の複合機は、原稿の画像を読み込むための画像読み取り部と、画像読み取り部の上方または下方の何れか一方に配設され、用紙に印刷を行うための印刷部と、印刷部に対して用紙を供給するための給紙部を備えたプリンタ複合機において、前記給紙部が、前記画像読み取り部の上方または下方のもう一方に配設され、印刷部と給紙部とが画像読み取り部を挟んで対向するようにしたことを特徴とするものである。
【００１０】
ここで、画像読み取り部は、一般に、スキャナヘッドを備えており、当該スキャナヘッドは、撮像素子（電荷結合素子（Charge-Coupled-Device：ＣＣＤ）ともいう）を用いて原稿に対して光をあて、反射する光を取り込み、画像を読み取るものである。
また、プリンタ複合機は、この画像読み取り部を配設することにより、コピー機能、スキャナ機能、ファクス機能などの諸機能を備えることが可能となる。
【００１１】
また、印刷部は、画像読み取り部の上方または下方に配設され、後記する給紙部から供給される用紙に対して印刷を行うものであり、例えば、前記した画像読み取り部で読み込んだデータを印刷したり、また、プリンタ複合機と接続されたパーソナルコンピュータ（ＰＣ）により送信されてきたデータを印刷することができる。
そして、印刷部は、印字機能を有するものであり、インクジェット方式による印字機能が一般的であるが、その他、レーザー方式や熱転写方式による印字機能により、印字を行うようにしてもよい。
【００１２】
更には、この印刷部に対して用紙を供給する給紙部は、例えば、用紙を蓄えるための給紙トレイを備えるようにすればよい。また、給紙トレイは、印刷を行う用紙の大きさ及び枚数に応じたサイズとすることができる。
【００１３】
そして、本発明のプリンタ複合機は、前記した給紙部が、前記した画像読み取り部の上方または下方のもう一方に配設され、印刷部と給紙部とが画像読み取り部を挟んで対向するようにしたことを特徴とするものである。
すなわち、給紙部は、画像読み取り部の上方または下方のうち、印刷部が配設されない側に配設され、例えば、印刷部が画像読み取り部の下方に配設された場合にあっては、画像読み取り部の上方に配設され、印刷部と給紙部とが画像読み取り部を挟んで対向することになる。
かかる本発明によれば、給紙部が、画像読み取り部の上方または下方のうち、印刷部が配設されない側に配設されるため、プリンタ複合機内において、印刷部と給紙部とを、画像読み取り部を挟んで所定の距離をおいて対向して配設することができる。従って、プリンタ複合機の小型化を保持しつつ、給紙部から用紙を印刷部に送り出すまでの折り返しの半径を大きくすることができ、その結果、写真用紙や封筒など、厚手の用紙にも好適に対応できるプリンタ複合機を提供することができる。
【００１４】
本発明のプリンタ複合機は、前記した印刷部が、前記画像読み取り部の下方に配設され、
前記した給紙部が、前記画像読み取り部の上方に配設されることが好ましい。
この本発明によれば、印刷部が画像読み取り部の下方に、また、給紙部が画像読み取り部の上方に配設される構成をとるため、プリンタ複合機内において、印刷部と給紙部とを、画像読み取り部を挟んで、給紙部を上方、印刷部を下方として所定の距離をおいて対向して配設することができ、前記した効果をより好適に実現することができる。
また、給紙部を、本来使用されることが少ない画像読み取り部の上方に配設することにより、印刷部を備えた複合機本体の小型化を保持しながら、給紙部をプリンタ複合機内に収めることができるため、プリンタ複合機を小型薄型化することが可能となる。
【００１５】
本発明のプリンタ複合機は、前記した給紙部が、前記した画像読み取り部の蓋部を形成していることが好ましい。
この本発明によれば、給紙部が画像読み取り部の蓋部を形成する構成としているため、
省スペース化が更に促進され、プリンタ複合機の小型化をより一層好適に実現できる。
【００１６】
本発明のプリンタ複合機は、前記した印刷部の紙送り手段を駆動する駆動部を備え、前記した印刷部に、駆動部の回転運動を伝達する伝達手段が配設されるとともに、前記した給紙部に、印刷部に配設される前記伝達手段と噛合する伝達手段が配設されていることが好ましい。
この本発明によれば、印刷部において、紙送りローラ等の紙送り手段を駆動するモータ
等の駆動部の回転運動が伝達される歯車等の伝達手段が配設されるとともに、この印刷部
に設けられた伝達手段と噛合する歯車等の伝達手段を給紙部に設ける構成とするので、駆
動部の回転運動が印刷部の紙送り手段に対して伝達されるとともに、給紙部の歯車を介し
て、給紙部における紙送りローラ等の紙送り手段に対しても伝達されていく構成となる。
よって、モータ等の稼働手段を単一にできるため、駆動機構の小型化、駆動回路の小型化
を図ることができるほか、プリンタ複合機の製造においても、部品点数の削減によって低
コスト化を実現することができる。
【００１７】
本発明のプリンタ複合機は、前記した蓋部を開けることにより、印刷部の伝達手段と給
紙部の伝達手段の噛合が解除されることが好ましい。
この本発明によれば、蓋部を開けたときに、伝達手段同士の噛合状態が開放され、モー
タ等の駆動部の回転運動が給紙部に対して伝達されなくなるため、給紙部から用紙を無理
に引き込んでしまうといったトラブルを未然に防止することができる。
【００１８】
本発明のプリンタ複合機は、コピー機能、スキャナ機能またはファクス機能の少なくとも一つを備えていることが好ましい。
この本発明によれば、プリンタ複合機の諸機能として、コピー機能、スキャナ機能またはファクス機能の少なくとも一つを備えるようにしているので、当該諸機能を利用して多目的に使用することができる。
【発明を実施するための最良の形態】
【００１９】
以下、本発明の実施形態を図面に基づいて説明する。
図１は、本発明のプリンタ複合機の一実施形態を示した図であって、画像読み取り機能を備えたインクジェットプリンタ複合機１を示した概略図である。
また、図２は、図１に示したインクジェットプリンタ複合機１（以下、単に「プリンタ複合機１」とする場合もある）の内部構成を示す概略断面図である。
なお、図１にあっては、プリンタ複合機１の内部において、当該プリンタ複合機１を構成する部材の一部を点線によって示している。
【００２０】
図１及び図２に示すように、本実施形態において、プリンタ複合機１は、複合機本体２と蓋部３とから構成されている。
そして、複合機本体２は、印刷機能を有する印刷部２１と、画像読み取り機能を有する画像読み取り部２２とを含み、また、蓋部３は、前記した印刷部２１に対して給紙するための給紙部３１を基本構成として備え、印刷部２１と給紙部３１とが画像読み取り部２２を挟んで対向するようにして配設されている。
【００２１】
［複合機本体２］
本実施形態における複合機本体２は、印刷部２１と画像読み取り部２２とを備えており、当該印刷部２１は、画像読み取り部２２の下方に配設されているものである。
印刷部２１は、用紙に印刷を行う印字ヘッド２１ａを備えている。かかる印字ヘッド２１ａは、本実施形態においては、図示しない圧電素子を備えたインクジェットヘッドを用いており、駆動信号に従って複合機本体２に対して横方向（図１の矢印方向）に往復運動を行い、往動時と復動時においてインクを吐出することにより、後記する給紙部３１から供給される用紙３２に対して印刷を行うものである。
【００２２】
次に、画像読み取り部２２は、前記した印刷部２１を構成する印字ヘッド２１ａの上方に配設されており、スキャナヘッド２３を備えている。スキャナヘッド２３は、図示しないモータにより、複合機本体２の横方向（図１の矢印方向）に対して往復運動を行う。また、当該スキャナヘッド２３に対しては、図示しない軸状のスキャナヘッドガイドが設けられており、このスキャナヘッドガイドにより、スキャナヘッド２３の往復運動の方向を前記した方向（図１の矢印方向）にのみ行うように規制している。
そして、読み取られた画像は、プリンタ複合機１と接続された図示しないパーソナルコンピュータ（ＰＣ）等に保存され、当該パーソナルコンピュータ（ＰＣ）に取り付けられた図示しないディスプレイにより、読み取り状態を確認することもできる。
【００２３】
また、スキャナヘッド２３の上面には、板状のガラス２４が配設されている。ガラス２４は、蓋部３を上方に持ち上げることにより複合機本体２の上面に現れ、読み取り対象の図示しない原稿を配置可能とする。
なお、当該ガラス２４は平行板ガラスであることが好ましく、ガラス２４が平行板ガラスであれば、スキャナヘッド２３からの光を、画像読み取り対象である原稿に対して安定して当てることができる。
【００２４】
更には、このスキャナヘッド２３は、図示しない蛍光管と撮像素子（電荷結合素子（Charge-Coupled-Device：ＣＣＤ）ともいう）を備えており、駆動信号に従って、スキャナヘッド２３の往復運動の間に原稿に対して光を当て、反射する光を取り込み、画像に対応した画像情報を形成して読み取るものである。
【００２５】
［蓋部３］
蓋部３は、複合機本体２の蓋となるものであり、図１及び図２に示されるように、画像読み取り部２２を覆うようにして配設される。この蓋部３は、複合機本体２と、ヒンジ２５により連結されている。また、当該蓋部３におけるガラス２４と対向する面は、原稿の画像を好適に読み込むようにするため、白地とされている。
なお、図１は、蓋部３を開いている状態、図２は、蓋部３を閉じている状態を示している。
【００２６】
本実施形態において、給紙部３１は当該蓋部３に設けられているとともに、用紙３２を蓄えるための給紙トレイ３１ａを備え、当該給紙トレイ３１ａは、印刷を行う用紙３２の大きさ及び枚数に応じたサイズとすることができる。そして、給紙トレイ３１ａに蓄えられる用紙３２は、給紙ローラ３３を通じ、印刷部２１に対して送られる。
【００２７】
給紙トレイ３１ａの底部には、図示しない板バネ等が設けられており、当該バネより、用紙３２の一端が常に給紙ローラ３３に押し当てられることとなる。従って、給紙トレイ３１ａ内に用紙が少ないときにでも、給紙をスムースに行うことができる。
また、給紙トレイ３１ａは、その上面に図示しないカバー部材が設けられており、このカバー部材によって、蓄えられる用紙へのゴミやホコリの付着を好適に防止することができる。
【００２８】
次に、本実施形態のプリンタ複合機１において、画像読み取り部２２に対して配置された原稿の画像を読み込んで、当該画像の内容を、給紙部３１より印刷部２１に対して送られてくる用紙３２に、当該印刷部２１により印刷するまでの流れを、図１及び図２を用いて説明する。
【００２９】
まず、画像読み取り部２２のガラス２４に対して、図示しない原稿を画像読み取り対象となる面が対向するようにして配置した後、図２に示すようにして、蓋部３を閉めた状態とする。
蓋部３を閉め、図示しないスイッチにより、画像読み取り部２２における画像読み取り機能を開始させる。画像読み取り機能が開始されると、画像読み取り部２２におけるスキャナヘッド２３が、複合機本体２の横方向（図１の矢印方向）に対して往復運動を行うとともに、当該スキャナヘッド２３内の図示しない蛍光管と撮像素子が、駆動信号に従って、ガラス２４に置かれた原稿に対して光を当て、反射する光を取り込むことにより、原稿に記載されている画像情報を形成する。
そして、形成された画像情報は、プリンタ複合機１と接続されている図示しないパーソナルコンピュータ（ＰＣ）等に保存されることになる。
【００３０】
更には、画像を印刷する場合にあっては、図示しないスイッチにより、印刷部２１における印刷機能を開始させる。印刷機能を開始させると、給紙部３１における給紙トレイ３１ａ内に蓄えられた用紙３２が、印刷部２１に対して送り出されていくことになる。
【００３１】
次に、用紙３２が印刷部２１に対して送られていく態様を、図２を用いて具体的に説明する。
印刷機能が開始した状態にあっては、複合部本体２の駆動手段であるモータ２６が駆動することとなり、図２に示されるように、当該モータ２６の回転運動が、モータ２６と連結される歯車４１、当該歯車４１と噛合される歯車４３、及び歯車４３と噛合される歯車４４を介して、当該歯車４４と噛合される歯車４５に伝達されていくことになる。
なお、図２において、歯車４１〜４５（及び後記する紙送りローラ５１〜５４）に付されている矢印は、当該歯車４１〜４５、及び紙送りローラ５１〜５４の回転方向を示している。
【００３２】
ここで、モータ２６は、例えば、ステッピングモータを採用することができる。また、当該モータ２６は、駆動信号に従って、連続的（印刷時でないときの用紙送り）或いは断続的（印刷時に印字ヘッド２１ａの動きに合わせる）に動作させることが可能である。
【００３３】
そして、歯車４５の回転運動は、歯車４５と連動して動く給紙ローラ３３に伝達され、給紙トレイ３１ａ内の用紙３２は、給紙ローラ３３が回転することにより、紙送りローラ５１に送り出されていくことになる。
なお、この場合にあっては、紙送りローラ５１と給紙ローラ３３が同じ回転数となるため、用紙３２に負荷がかかることを防止できる。
【００３４】
また、紙送りローラ５１は、用紙３２に対して裏側（印刷面と反対面であり、紙送りローラ５１にあっては、図２におけるプリンタ複合機１の上面方向）に配設されるローラ５１ａと、用紙３２に対して表側（印刷面であり、同様に、図２におけるプリンタ複合機１の下面方向）に配設されるローラ５１ｂで構成されており、紙送りローラ５１は、給紙ローラ３３から送られてきた用紙３２を引き込み、用紙３２を用紙ガイド２７に対して送り出す。
【００３５】
なお、紙送りローラ５１は、裏側のローラ５１ｂが表側のローラ５１ａとが逆方向に回転するようにすれば、給紙ローラ３３から２枚用紙が送られてきても、余分な１枚を戻すことができる。
また、この場合にあって、裏側のローラ５１ｂの摩擦係数を表側のローラ５１ａの摩擦係数よりも小さくしておけば、用紙３２が正しい１枚だけのときは表側のローラ５１ａの回転方向、すなわち用紙ガイド２７の方向に送り出すことが可能となる。
【００３６】
このようにして、用紙３２が紙送りローラ５１から用紙ガイド２７に対して送り出されていくことになる。用紙ガイド２７は、本実施形態においては、当該紙送りローラ５１の出口から、後記する紙送りローラ５２の入口までを用紙３２を搬送していくものであり、円弧状（例えば、ｒ＝５０ｍｍ）等、用紙３２をスムースに搬送できる任意の形状にすることができる。また、用紙ガイド２７は、例えば、プラスチック等の汎用材料で形成することができ、その表面を鏡面状態に仕上げるようにすれば、搬送する用紙３２との摩擦を好適に低減できる。
【００３７】
そして、本実施形態のプリンタ複合機１では、給紙部３１が画像読み取り部２２の上方に配設されている一方、印刷部２１が画像読み取り部２２の下方に配設され、印刷部２１と給紙部３１とが画像読み取り部２２を挟んで対向する構成をとっている。このような構成をとることにより、印刷部２１と給紙部３１とを、画像読み取り部２２を挟んで所定の距離をおいて備えることができるため、プリンタ複合機１の小型化を保ちつつ、給紙部３１から用紙３２を印刷部２１に送り出すまでの折り返しの半径（例えば、用紙ガイド２７の半径）を大きくすることができる。
【００３８】
用紙ガイド２７から送り出されてきた用紙３２は、紙送りローラ５２を通過することになる。紙送りローラ５２は、図２に示すように、用紙３２に対して表側（印刷面であり、紙送りローラ５２にあっては、図２におけるプリンタ複合機１の上面方向。以下、紙送りローラ５３，５４について同）
に配設されるローラ５２ａ、及び用紙３２に対して裏側（印刷面と反対面であり、紙送りローラ５２にあっては、図２におけるプリンタ複合機１の下面方向。以下、紙送りローラ５３，５４について同）に配設されるローラ５２ｂの２個のローラから構成されており、用紙ガイド２７に沿って送られてきた用紙３２を引き込み、次の紙送りローラ５３に送り出していく。
【００３９】
ここで、モータ２６の回転運動が、モータ２６と連結される歯車４１に伝達されることは前記したとおりであるが、歯車４１は、下部に配設された歯車４２と噛合している。そして、当該歯車４２は、紙送りローラ５２ａと同心で設けられているため、モータ２６の回転運動は、歯車４１及び歯車４２を介して、紙送りローラ５２に対しても伝達される。
【００４０】
紙送りローラ５２から送り出されてきた用紙３２は、紙送りローラ５３を通過することになる。紙送りローラ５３も、前記した紙送りローラ５２と同様に、用紙３２に対して表側に配設されるローラ５３ａ、及び用紙３２に対して裏側に配設されるローラ５３ｂから構成される。紙送りローラ５３は、紙送りローラ５２から送られてきた用紙３２を引き込み、当該用紙３２を次の紙送りローラ５４に送り出していく。
【００４１】
また、紙送りローラ５３と紙送りローラ５４の間には、用紙３２の上面に位置するように、インクジェットを用いた印字ヘッド２１ａが設けられている。また、印字ヘッド２１ａが駆動信号に従って複合機本体２に対して横方向（図１の矢印方向）に往復運動を行い、往動時と復動時においてインクを吐出することにより、紙送りローラ５３から紙送りローラ５４に対して送り出されていく用紙３２に対して印刷を行っていく。
【００４２】
印刷が終わった用紙３２は、紙送りローラ５４に対して送り出される。紙送りローラ５４は、紙送りローラ５２，５３と同様に、用紙３２に対して表側に配設されるローラ５４ａ、及び用紙３２に対して裏側に配設されるローラ５４ｂから構成される。
なお、紙送りローラ５３，５４は、図示しないモータ等の駆動機構から、これも図示しない伝達機構（ゴムベルト等）を介して、駆動される。また、前記したモータ２６によって、図示しない歯車等を介して駆動されるようにしてもよい。
【００４３】
そして、紙送りローラ５２，５３，５４は、同じ高さに取り付けられており、用紙を紙送りローラ５２から紙送りローラ５３、及び紙送りローラ５３から紙送りローラ５４に送り出すにあたって、用紙３２が水平方向に搬送される。また、これら紙送りローラ５２，５３，５４から送り出される用紙３２は、印字ヘッド２１ａの底面部とも平行に配置されるため、印字ヘッド２１ａからのインクの吐出距離が一定となる。
【００４４】
そして、印刷後の用紙３２は、紙送りローラ５４から、複合機本体２の前面に設けられた用紙排出口２８に送られた後に、排出されていくことになり、印刷後の用紙３２の終端が紙送りローラ５４を過ぎると、用紙排出口２８から取り出される。
本実施形態のプリンタ複合機１は、以上のような流れにより、画像読み取り部２１に対して配置された原稿の画像の内容が、給紙部３１より印刷部２１に送られてくる用紙３２に対して印刷されることになる。
【００４５】
なお、紙送りローラ５１，５２，５３は、用紙３２と接触する部分をゴムで構成するようにすれば、用紙３２をゴムの部分との摩擦力を用いて送ることができる。一方、紙送りローラ５４については、表面に対して凹凸を形成した金属性のローラとすれば、印刷直後の乾いていないインクをローラに対して転写してしまうことを好適に防止できる。
【００４６】
また、本実施形態において、プリンタ複合機１は、駆動部は複合機本体２に設けられた１つのモータ２６である一方、モータ２６の回転運動は、歯車４１から歯車４２，４３，４４，４５に伝達されるようにしている。
そして、歯車４５は給紙部３１の紙送りを行う紙送りローラ５１と連動し、また、歯車４２は印刷部２１における紙送りを行う紙送りローラ５２と連動するため、一つのモータ２６の回転運動が、給紙部３１と印刷部２１の紙送りを共有する構造としているものである。よって、モータ２６等の駆動機構の小型化、駆動回路の小型化を図ることができるとともに、プリンタ複合機１の製造においても、部品点数の削減によって低コスト化を実現できる。
【００４７】
更には、図１に示されるように、蓋部３を開いた状態として、給紙部３１が上方に持ち上げられている場合にあっては、歯車４３と歯車４４とが離れて、噛合状態が解除されるため、給紙部３１に回転運動が伝達されることはない。従って、用紙３２を無理に引き込んでしまうといった問題を好適に防止することができる。
【００４８】
前記した本実施形態のプリンタ複合機１によれば、次のような効果を奏することができる。
（１）プリンタ複合機１を構成する給紙部３１が、画像読み取り部２２の上方に、当該画像読み取り部２２を挟んで印刷部２１と対向するようにして配設されるため、プリンタ複合機１内において画像読み取り部２２の下方に配設された印刷部２１と上部に配設された給紙部３１とを、画像読み取り部２２を挟んで所定の距離をおいて備えることができる。従って、プリンタ複合機１の小型化を保持したまま、給紙部３１から用紙３２を印刷部２１に送り出すまでの折り返しの半径（例えば、用紙ガイド２７の半径）を大きくすることができ、その結果、写真用紙や封筒など、厚手の用紙にも好適に対応できるプリンタ複合機１を好適に提供することができる。
【００４９】
（２）また、給紙部３１を、本来使用されることが少ない画像読み取り部２２の上方に配設することにより、印刷部２１を備えた複合機本体２の小型化を保持しながら、給紙部３１をプリンタ複合機１内に収めることができるため、プリンタ複合機１を小型薄型化することが可能となる。
【００５０】
（３）プリンタ複合機１を構成する給紙部３１が画像読み取り部２２の蓋部３を形成する構成としているため、省スペース化が促進され、プリンタ複合機１の小型化をより一層好適に実現できる。
【００５１】
（４）プリンタ複合機１において、印刷部２１の紙送りローラ５２〜５４を駆動する駆動
部であるモータ２６を備え、印刷部２１に、モータ２６の回転運動を伝達する歯車４３が
配設されるとともに、給紙部３１に、印刷部２１に配設される歯車４３と噛合する歯車４
４が配設されている構成をとるため、駆動部であるモータ２６を単一にでき、駆動機構の
小型化、駆動回路の小型化を図ることができるとともに、部品点数の削減によって低コス
ト化を実現することが可能となる。
【００５２】
（５）また、印刷部２１におけるモータ２６の回転運動を伝達する歯車４３と、給紙部３１における当該回転運動が伝達される歯車４４が噛合されている一方、蓋部３を開けたときには、この噛合状態が解除されることにより、モータ２６の回転運動が給紙部３１に対して伝達されなくなるため、給紙部３１から用紙３２を無理に引き込んでしまうといったトラブルを好適に防止することができる。
【００５３】
なお、本発明は前記した態様に限定されるものではなく、本発明の目的を達成する範囲での変形、改良等は本発明に含まれるものである。
例えば、前記した実施形態では、プリンタ複合機１の印字ヘッド２１ａとして、圧電素子を備えたインクジェットヘッドを用いた態様を示したが、これには限定されず、例えば、印字形式としてレーザー方式や熱転写方式であってもよい。また、印刷については、カラー印刷であっても、白黒印刷であってもよい。
【００５４】
また、前記した実施形態では、プリンタ複合機１が、画像読み取り部２１としてのスキャナヘッド２３を有することにより、スキャナ機能を備えたものであったが、これには限定されず、コピー機能やファクス機能を備えたものとしてもよく、これにより、プリンタ複合機１がより多目的に使用することが可能となる。
更には、プリンタ複合機１は、パーソナルコンピュータ（ＰＣ）等に接続されることにより、プリンタ機能やスキャナ機能等をそれぞれ個別に使用できるようにしてもよい。
【００５５】
そして、前記した実施形態では、画像読み取り部２２により原稿のデータを読み込み、このデータを印刷部２１にて印刷した態様を示したが、例えば、別途パーソナルコンピュータ（ＰＣ）から送信されたデータを印刷してもよく、また、ファクス機能を備えた場合にあっては、通信されてきたデータを印刷部２１にて印刷するようにしてもよい。
その他、本発明の実施における具体的な構造及び形状等は、本発明の目的を達成できる範囲で他の構造としてもよい。
【産業上の利用可能性】
【００５６】
本発明のプリンタ複合機は、プリンタ機能をベースとして、コピー機能、スキャナ機能、ファクス機能などの諸機能を併せ持ち、１台で多目的に使用されるプリンタ複合機として有利に使用することができる。
【図面の簡単な説明】
【００５７】
【図１】本発明のプリンタ複合機の一実施形態を示した図であって、インクジェットプリンタ複合機を示した概略図である。
【図２】図１のプリンタ複合機の内部構成を示す概略断面図である。
【符号の説明】
【００５８】
１…プリンタ複合機、２…複合機本体、３…蓋部、２１…印刷部、２１ａ…印字ヘッド、２２…画像読み取り部、２３…スキャナヘッド、２４…ガラス、２５…ヒンジ、２６…モータ、２７…用紙ガイド、２８…用紙排出口、３１…給紙部、３１ａ…給紙トレイ、３２…用紙、３３…給紙ローラ、４１〜４５…歯車、５１〜５４…紙送りローラ
【図１】
2005159817.tif 000003
【図２】
2005159817.tif 000004